【手続補正書】
【提出日】平成17年6月15日(2005.6.15)
【手続補正１】
【補正対象書類名】明細書
【補正対象項目名】発明の名称
【補正方法】変更
【補正の内容】
【発明の名称】画像形成装置及びその制御方法、画像形成システム、並びに記憶媒体
【手続補正２】
【補正対象書類名】明細書
【補正対象項目名】特許請求の範囲
【補正方法】変更
【補正の内容】
【特許請求の範囲】
【請求項１】
画像入力に基づき用紙上に画像形成を行う画像形成装置であって、
手差しで用紙を給紙するための手差し給紙手段と、
第１の画像形成ジョブにおいて前記手差し給紙手段から給紙する用紙の第１の用紙情報を指定する第１の用紙指定手段と、
第２の画像形成ジョブにおいて前記手差し給紙手段から給紙する用紙の第２の用紙情報を指定する第２の用紙指定手段とを有する画像形成装置において、
該第２の用紙情報と該第１の用紙情報は独立しており、前記第２の用紙指定手段が前記第２の用紙情報の指定を行う場合に、該第２の用紙情報の指定動作が、前記第１の画像形成ジョブに対応する前記第１の用紙情報に影響をしないように制御する制御手段とを有することを特徴とする画像形成装置。
【請求項２】
前記制御手段は、前記第１の用紙情報と前記第２の用紙情報とが異なる情報として、前記第１の用紙指定手段と前記第２の用紙指定手段がそれぞれ前記第１の用紙情報と前記第２の用紙情報を指定可能に制御することを特徴とする請求項１記載の画像形成装置。
【請求項３】
画像形成中に次の画像形成ジョブの予約を受け付け、前記第１の画像形成ジョブの実行中に、前記第２の画像形成ジョブの予約を受付ける予約受付手段と、
少なくとも前記第２の用紙情報を記憶する用紙情報記憶手段とを有し、
前記第２の用紙指定手段は、前記予約受付手段で受け付けた前記第２の画像形成ジョブの予約に基づき前記第２の用紙情報を指定し、
前記制御手段は、該予約された第２の画像形成ジョブの実行の際、前記第２の用紙情報に基づいて画像形成出力を実行させることを特徴とする請求項１又は２記載の画像形成装置。
【請求項４】
画像データを入力する画像入力手段と、
該画像入力手段で入力した画像データを順次記憶する画像記憶手段と、
該画像記憶手段に記憶した画像データを読み出し用紙上に順次画像形成を行い出力する画像出力手段と、
前記画像記憶手段に記憶した画像データの処理モードを設定する設定手段とを有し、
前記制御手段は、前記画像入力手段で入力した画像データを前記画像記憶手段に順次記憶させ、前記画像出力手段に順次画像形成出力を実行させることを特徴とする請求項１乃至３の何れか１項に記載の画像形成装置。
【請求項５】
機械的に用紙を給紙可能な給紙手段を有し、前記制御手段は、前記給紙手段からの給紙による画像形成実行時も指定した用紙に基づき前記画像出力手段に画像形成出力を実行させることを特徴とする請求項４記載の画像形成装置。
【請求項６】
用紙サイズ及び用紙タイプの少なくとも一方を表示可能な表示手段を有し、前記制御手段は、前記手差し給紙手段を用いたこれから投入する手差し給紙ジョブについて用紙サイズ及び用紙タイプの少なくとも一方を前記表示手段に表示させ、前記手差し給紙手段にセットされている用紙サイズ及び用紙タイプの少なくとも一方を前記表示手段に表示させることを特徴とする請求項１乃至５の何れか１項に記載の画像形成装置。
【請求項７】
前記処理モードとは、画像形成装置が有する機能を実行させるモードであり、前記用紙サイズとは、Ａ３・Ａ４を含むＡ系サイズ、Ｂ４・Ｂ５を含むＢ系サイズ、インチサイズを含む用紙サイズであり、前記用紙タイプとは、普通紙、厚紙、ＯＨＰ紙を含む用紙タイプであることを特徴とする請求項６記載の画像形成装置。
【請求項８】
原稿から画像を読み取り用紙上に画像を形成する複写機能を有する複写装置に適用可能であり、原稿から画像を読み取る画像読取手段、外部装置との間でデータ通信を行うインタフェース手段を有することを特徴とする請求項１乃至７の何れか１項に記載の画像形成装置。
【請求項９】
用紙上に画像を形成する印刷機能を有するプリンタを含む印刷装置に適用可能であり、外部装置との間でデータ通信を行うインタフェース手段を有することを特徴とする請求項１乃至８の何れか１項に記載の画像形成装置。
【請求項１０】
複写機能、印刷機能、及びファクシミリ機能を有する複合複写装置に適用可能であり、原稿から画像を読み取る画像読取手段、電話回線を介してデータ通信を行うファクシミリ通信手段、外部装置との間でデータ通信を行うインタフェース手段を有することを特徴とする請求項１乃至９の何れか１項に記載の画像形成装置。
【請求項１１】
画像入力に基づき用紙上に画像形成を行う画像形成装置に適用される制御方法であって、
手差しで用紙を給紙するための手差し給紙工程と、
第１の画像形成ジョブにおいて前記手差し給紙工程によって給紙される用紙の第１の用紙情報を指定する第１の用紙指定工程と、
第２の画像形成ジョブにおいて前記手差し給紙工程によって給紙される用紙の第２の用紙情報を指定する第２の用紙指定工程とを含む制御方法において、
該第２の用紙情報と該第１の用紙情報は独立しており、前記第２の用紙指定工程が前記第２の用紙情報の指定を行う場合に、該第２の用紙情報の指定動作が、前記第１の画像形成ジョブに対応する前記第１の用紙情報に影響をしないように制御する制御工程とを含むことを特徴とする画像形成装置の制御方法。
【請求項１２】
前記制御工程は、前記第１の用紙情報と前記第２の用紙情報とが異なる情報として、前記第１の用紙指定工程と前記第２の用紙指定工程がそれぞれ前記第１の用紙情報と前記第２の用紙情報を指定可能に制御することを特徴とする請求項１１記載の画像形成装置の制御方法。
【請求項１３】
画像形成中に次の画像形成ジョブの予約を受け付け、前記第１の画像形成ジョブの実行中に、前記第２の画像形成ジョブの予約を受付ける予約受付工程と、
少なくとも前記第２の用紙情報を記憶する用紙情報記憶工程とを有し、
前記第２の用紙指定工程は、前記予約受付工程において受け付けた前記第２の画像形成ジョブの予約に基づき前記第２の用紙情報を指定し、
前記制御工程は、該予約された第２の画像形成ジョブの実行の際、前記第２の用紙情報に基づいて画像形成出力を実行させることを特徴とする請求項１１又は１２記載の画像形成装置の制御方法。
【請求項１４】
画像データを入力する画像入力工程と、
該画像入力工程において入力した画像データを順次記憶する画像記憶工程と、
該画像記憶工程において記憶した画像データを読み出し用紙上に順次画像形成を行い出力する画像出力工程と、
前記画像記憶工程において記憶した画像データの処理モードを設定する設定工程とを含み、
前記制御工程は、前記画像入力工程において入力した画像データを前記画像記憶工程において順次記憶させ、前記画像出力工程に順次画像形成出力を実行させることを特徴とする請求項１１乃至１３の何れか１項に記載の画像形成装置の制御方法。
【請求項１５】
機械的に用紙を給紙可能な給紙工程を含み、前記制御工程は、前記給紙工程における給紙による画像形成実行時も指定した用紙に基づき前記画像出力工程に画像形成出力を実行させることを特徴とする請求項１４記載の画像形成装置の制御方法。
【請求項１６】
用紙サイズ及び用紙タイプの少なくとも一方を表示可能な表示工程を有し、前記制御工程は、前記手差し給紙工程におけるこれから投入する手差し給紙ジョブについて用紙サイズ及び用紙タイプの少なくとも一方を前記表示工程に表示させ、前記手差し給紙工程においてセットされている用紙サイズ及び用紙タイプの少なくとも一方を前記表示工程に表示させることを特徴とする請求項１１乃至１５の何れか１項に記載の画像形成装置の制御方法。
【請求項１７】
前記処理モードとは、画像形成装置が有する機能を実行させるモードであり、前記用紙サイズとは、Ａ３・Ａ４を含むＡ系サイズ、Ｂ４・Ｂ５を含むＢ系サイズ、インチサイズを含む用紙サイズであり、前記用紙タイプとは、普通紙、厚紙、ＯＨＰ紙を含む用紙タイプであることを特徴とする請求項１６記載の画像形成装置の制御方法。
【請求項１８】
原稿から画像を読み取り用紙上に画像を形成する複写機能を有する複写装置に適用可能であり、原稿から画像を読み取る画像読取工程、外部装置との間でデータ通信を行うインタフェース工程を含むことを特徴とする請求項１１乃至１７の何れか１項に記載の画像形成装置の制御方法。
【請求項１９】
用紙上に画像を形成する印刷機能を有するプリンタを含む印刷装置に適用可能であり、外部装置との間でデータ通信を行うインタフェース工程を含むことを特徴とする請求項１１乃至１８の何れか１項に記載の画像形成装置の制御方法。
【請求項２０】
複写機能、印刷機能、及びファクシミリ機能を有する複合複写装置に適用可能であり、原稿から画像を読み取る画像読取工程、電話回線を介してデータ通信を行うファクシミリ通信工程、外部装置との間でデータ通信を行うインタフェース工程を含むことを特徴とする請求項１１乃至１９の何れか１項に記載の画像形成装置の制御方法。
【請求項２１】
画像入力に基づき用紙上に画像形成を行う画像形成装置と、該画像形成装置との間でデータ通信が可能な外部装置とを具備してなる画像形成システムであって、
前記画像形成装置は、手差しで用紙を給紙するための手差し給紙手段と、第１の画像形成ジョブにおいて前記手差し給紙手段から給紙する用紙の第１の用紙情報を指定する第１の用紙指定手段と、第２の画像形成ジョブにおいて前記手差し給紙手段から給紙する用紙の第２の用紙情報を指定する第２の用紙指定手段とを有する画像形成装置であって、
該第２の用紙情報と該第１の用紙情報は独立しており、前記第２の用紙指定手段が前記第２の用紙情報の指定を行う場合に、該第２の用紙情報の指定動作が、前記第１の画像形成ジョブに対応する前記第１の用紙情報に影響をしないように制御する制御手段とを有し、
前記外部装置は、画像データを前記画像形成装置へ送信する機能を有することを特徴とする画像形成システム。
【請求項２２】
画像入力に基づき用紙上に画像形成を行う画像形成装置を制御するためのプログラムを格納するコンピュータ読み取り可能な記憶媒体であって、
前記プログラムは、
手差しで用紙を給紙するための手差し給紙工程と、
第１の画像形成ジョブにおいて前記手差し給紙工程によって給紙される用紙の第１の用紙情報を指定する第１の用紙指定工程と、
第２の画像形成ジョブにおいて前記手差し給紙工程によって給紙される用紙の第２の用紙情報を指定する第２の用紙指定工程と、
該第２の用紙情報と該第１の用紙情報とは独立しており、前記第２の用紙指定工程が前記第２の用紙情報の指定を行う場合に、該第２の用紙情報の指定動作が、前記第１の画像形成ジョブに対応する前記第１の用紙情報に影響をしないように制御する制御工程とをコンピュータに実行させるためのプログラムコードからなることを特徴とする記憶媒体。
【手続補正３】
【補正対象書類名】明細書
【補正対象項目名】０００１
【補正方法】変更
【補正の内容】
【０００１】
【発明の属する技術分野】
本発明は、画像形成装置及びその制御方法、画像形成システム、並びに記憶媒体に関し、特に、プリント中に次の画像入力要求を受け付ける予約プリント機能を備えた画像形成装置及びその制御方法、画像形成システム、並びに記憶媒体に関する。
【手続補正４】
【補正対象書類名】明細書
【補正対象項目名】０００４
【補正方法】変更
【補正の内容】
【０００４】
本発明は、上述した点に鑑みなされたものであり、複数ジョブで異なった手差しプリント処理を行うことを実現することで、効率よくプリントジョブを行うことを可能とした画像形成装置及びその制御方法、画像形成システム、並びに記憶媒体を提供することを目的とする。
【手続補正５】
【補正対象書類名】明細書
【補正対象項目名】０００５
【補正方法】変更
【補正の内容】
【０００５】
【課題を解決するための手段】
上記目的を達成するため、請求項１記載の発明は、画像入力に基づき用紙上に画像形成を行う画像形成装置であって、手差しで用紙を給紙するための手差し給紙手段と、第１の画像形成ジョブにおいて前記手差し給紙手段から給紙する用紙の第１の用紙情報を指定する第１の用紙指定手段と、第２の画像形成ジョブにおいて前記手差し給紙手段から給紙する用紙の第２の用紙情報を指定する第２の用紙指定手段とを有する画像形成装置において、該第２の用紙情報と該第１の用紙情報は独立しており、前記第２の用紙指定手段が前記第２の用紙情報の指定を行う場合に、該第２の用紙情報の指定動作が、前記第１の画像形成ジョブに対応する前記第１の用紙情報に影響をしないように制御する制御手段とを有することを特徴とする。
【手続補正６】
【補正対象書類名】明細書
【補正対象項目名】０００６
【補正方法】変更
【補正の内容】
【０００６】
上記目的を達成するため、請求項２記載の発明は、前記制御手段は、前記第１の用紙情報と前記第２の用紙情報とが異なる情報として、前記第１の用紙指定手段と前記第２の用紙指定手段がそれぞれ前記第１の用紙情報と前記第２の用紙情報を指定可能に制御することを特徴とする。
【手続補正７】
【補正対象書類名】明細書
【補正対象項目名】０００７
【補正方法】変更
【補正の内容】
【０００７】
上記目的を達成するため、請求項３記載の発明は、画像形成中に次の画像形成ジョブの予約を受け付け、前記第１の画像形成ジョブの実行中に、前記第２の画像形成ジョブの予約を受付ける予約受付手段と、少なくとも前記第２の用紙情報を記憶する用紙情報記憶手段とを有し、前記第２の用紙指定手段は、前記予約受付手段で受け付けた前記第２の画像形成ジョブの予約に基づき前記第２の用紙情報を指定し、前記制御手段は、該予約された第２の画像形成ジョブの実行の際、前記第２の用紙情報に基づいて画像形成出力を実行させることを特徴とする。
【手続補正８】
【補正対象書類名】明細書
【補正対象項目名】０００８
【補正方法】変更
【補正の内容】
【０００８】
上記目的を達成するため、請求項４記載の発明は、画像データを入力する画像入力手段と、該画像入力手段で入力した画像データを順次記憶する画像記憶手段と、該画像記憶手段に記憶した画像データを読み出し用紙上に順次画像形成を行い出力する画像出力手段と、前記画像記憶手段に記憶した画像データの処理モードを設定する設定手段とを有し、前記制御手段は、前記画像入力手段で入力した画像データを前記画像記憶手段に順次記憶させ、前記画像出力手段に順次画像形成出力を実行させることを特徴とする。
【手続補正９】
【補正対象書類名】明細書
【補正対象項目名】０００９
【補正方法】変更
【補正の内容】
【０００９】
上記目的を達成するため、請求項５記載の発明は、機械的に用紙を給紙可能な給紙手段を有し、前記制御手段は、前記給紙手段からの給紙による画像形成実行時も指定した用紙に基づき前記画像出力手段に画像形成出力を実行させることを特徴とする。
【手続補正１０】
【補正対象書類名】明細書
【補正対象項目名】００１０
【補正方法】変更
【補正の内容】
【００１０】
上記目的を達成するため、請求項６記載の発明は、用紙サイズ及び用紙タイプの少なくとも一方を表示可能な表示手段を有し、前記制御手段は、前記手差し給紙手段を用いたこれから投入する手差し給紙ジョブについて用紙サイズ及び用紙タイプの少なくとも一方を前記表示手段に表示させ、前記手差し給紙手段にセットされている用紙サイズ及び用紙タイプの少なくとも一方を前記表示手段に表示させることを特徴とする。
【手続補正１１】
【補正対象書類名】明細書
【補正対象項目名】００１１
【補正方法】変更
【補正の内容】
【００１１】
上記目的を達成するため、請求項７記載の発明は、前記処理モードとは、画像形成装置が有する機能を実行させるモードであり、前記用紙サイズとは、Ａ３・Ａ４を含むＡ系サイズ、Ｂ４・Ｂ５を含むＢ系サイズ、インチサイズを含む用紙サイズであり、前記用紙タイプとは、普通紙、厚紙、ＯＨＰ紙を含む用紙タイプであることを特徴とする。
【手続補正１２】
【補正対象書類名】明細書
【補正対象項目名】００１２
【補正方法】変更
【補正の内容】
【００１２】
上記目的を達成するため、請求項８記載の発明は、原稿から画像を読み取り用紙上に画像を形成する複写機能を有する複写装置に適用可能であり、原稿から画像を読み取る画像読取手段、外部装置との間でデータ通信を行うインタフェース手段を有することを特徴とする。
【手続補正１３】
【補正対象書類名】明細書
【補正対象項目名】００１３
【補正方法】変更
【補正の内容】
【００１３】
上記目的を達成するため、請求項９記載の発明は、用紙上に画像を形成する印刷機能を有するプリンタを含む印刷装置に適用可能であり、外部装置との間でデータ通信を行うインタフェース手段を有することを特徴とする。
【手続補正１４】
【補正対象書類名】明細書
【補正対象項目名】００１４
【補正方法】変更
【補正の内容】
【００１４】
上記目的を達成するため、請求項１０記載の発明は、複写機能、印刷機能、及びファクシミリ機能を有する複合複写装置に適用可能であり、原稿から画像を読み取る画像読取手段、電話回線を介してデータ通信を行うファクシミリ通信手段、外部装置との間でデータ通信を行うインタフェース手段を有することを特徴とする。
【手続補正１５】
【補正対象書類名】明細書
【補正対象項目名】００１５
【補正方法】変更
【補正の内容】
【００１５】
上記目的を達成するため、請求項１１記載の発明は、画像入力に基づき用紙上に画像形成を行う画像形成装置に適用される制御方法であって、手差しで用紙を給紙するための手差し給紙工程と、第１の画像形成ジョブにおいて前記手差し給紙工程によって給紙される用紙の第１の用紙情報を指定する第１の用紙指定工程と、第２の画像形成ジョブにおいて前記手差し給紙工程によって給紙される用紙の第２の用紙情報を指定する第２の用紙指定工程とを含む制御方法において、該第２の用紙情報と該第１の用紙情報は独立しており、前記第２の用紙指定工程が前記第２の用紙情報の指定を行う場合に、該第２の用紙情報の指定動作が、前記第１の画像形成ジョブに対応する前記第１の用紙情報に影響をしないように制御する制御工程とを含むことを特徴とする。
【手続補正１６】
【補正対象書類名】明細書
【補正対象項目名】００１６
【補正方法】変更
【補正の内容】
【００１６】
上記目的を達成するため、請求項１２記載の発明は、前記制御工程は、前記第１の用紙情報と前記第２の用紙情報とが異なる情報として、前記第１の用紙指定工程と前記第２の用紙指定工程がそれぞれ前記第１の用紙情報と前記第２の用紙情報を指定可能に制御することを特徴とする。
【手続補正１７】
【補正対象書類名】明細書
【補正対象項目名】００１７
【補正方法】変更
【補正の内容】
【００１７】
上記目的を達成するため、請求項１３記載の発明は、画像形成中に次の画像形成ジョブの予約を受け付け、前記第１の画像形成ジョブの実行中に、前記第２の画像形成ジョブの予約を受付ける予約受付工程と、少なくとも前記第２の用紙情報を記憶する用紙情報記憶工程とを有し、前記第２の用紙指定工程は、前記予約受付工程において受け付けた前記第２の画像形成ジョブの予約に基づき前記第２の用紙情報を指定し、前記制御工程は、該予約された第２の画像形成ジョブの実行の際、前記第２の用紙情報に基づいて画像形成出力を実行させることを特徴とする。
【手続補正１８】
【補正対象書類名】明細書
【補正対象項目名】００１８
【補正方法】変更
【補正の内容】
【００１８】
上記目的を達成するため、請求項１４記載の発明は、画像データを入力する画像入力工程と、該画像入力工程において入力した画像データを順次記憶する画像記憶工程と、該画像記憶工程において記憶した画像データを読み出し用紙上に順次画像形成を行い出力する画像出力工程と、前記画像記憶工程において記憶した画像データの処理モードを設定する設定工程とを含み、前記制御工程は、前記画像入力工程において入力した画像データを前記画像記憶工程において順次記憶させ、前記画像出力工程に順次画像形成出力を実行させることを特徴とする。
【手続補正１９】
【補正対象書類名】明細書
【補正対象項目名】００１９
【補正方法】変更
【補正の内容】
【００１９】
上記目的を達成するため、請求項１５記載の発明は、機械的に用紙を給紙可能な給紙工程を含み、前記制御工程は、前記給紙工程における給紙による画像形成実行時も指定した用紙に基づき前記画像出力工程に画像形成出力を実行させることを特徴とする。
【手続補正２０】
【補正対象書類名】明細書
【補正対象項目名】００２０
【補正方法】変更
【補正の内容】
【００２０】
上記目的を達成するため、請求項１６記載の発明は、用紙サイズ及び用紙タイプの少なくとも一方を表示可能な表示工程を有し、前記制御工程は、前記手差し給紙工程におけるこれから投入する手差し給紙ジョブについて用紙サイズ及び用紙タイプの少なくとも一方を前記表示工程に表示させ、前記手差し給紙工程においてセットされている用紙サイズ及び用紙タイプの少なくとも一方を前記表示工程に表示させることを特徴とする。
【手続補正２１】
【補正対象書類名】明細書
【補正対象項目名】００２１
【補正方法】変更
【補正の内容】
【００２１】
上記目的を達成するため、請求項１７記載の発明は、前記処理モードとは、画像形成装置が有する機能を実行させるモードであり、前記用紙サイズとは、Ａ３・Ａ４を含むＡ系サイズ、Ｂ４・Ｂ５を含むＢ系サイズ、インチサイズを含む用紙サイズであり、前記用紙タイプとは、普通紙、厚紙、ＯＨＰ紙を含む用紙タイプであることを特徴とする。
【手続補正２２】
【補正対象書類名】明細書
【補正対象項目名】００２２
【補正方法】変更
【補正の内容】
【００２２】
上記目的を達成するため、請求項１８記載の発明は、原稿から画像を読み取り用紙上に画像を形成する複写機能を有する複写装置に適用可能であり、原稿から画像を読み取る画像読取工程、外部装置との間でデータ通信を行うインタフェース工程を含むことを特徴とする。
【手続補正２３】
【補正対象書類名】明細書
【補正対象項目名】００２３
【補正方法】変更
【補正の内容】
【００２３】
上記目的を達成するため、請求項１９記載の発明は、用紙上に画像を形成する印刷機能を有するプリンタを含む印刷装置に適用可能であり、外部装置との間でデータ通信を行うインタフェース工程を含むことを特徴とする。
【手続補正２４】
【補正対象書類名】明細書
【補正対象項目名】００２４
【補正方法】変更
【補正の内容】
【００２４】
上記目的を達成するため、請求項２０記載の発明は、複写機能、印刷機能、及びファクシミリ機能を有する複合複写装置に適用可能であり、原稿から画像を読み取る画像読取工程、電話回線を介してデータ通信を行うファクシミリ通信工程、外部装置との間でデータ通信を行うインタフェース工程を含むことを特徴とする。
【手続補正２５】
【補正対象書類名】明細書
【補正対象項目名】００２５
【補正方法】変更
【補正の内容】
【００２５】
上記目的を達成するため、請求項２１記載の発明は、画像入力に基づき用紙上に画像形成を行う画像形成装置と、該画像形成装置との間でデータ通信が可能な外部装置とを具備してなる画像形成システムであって、前記画像形成装置は、手差しで用紙を給紙するための手差し給紙手段と、第１の画像形成ジョブにおいて前記手差し給紙手段から給紙する用紙の第１の用紙情報を指定する第１の用紙指定手段と、第２の画像形成ジョブにおいて前記手差し給紙手段から給紙する用紙の第２の用紙情報を指定する第２の用紙指定手段とを有する画像形成装置であって、該第２の用紙情報と該第１の用紙情報は独立しており、前記第２の用紙指定手段が前記第２の用紙情報の指定を行う場合に、該第２の用紙情報の指定動作が、前記第１の画像形成ジョブに対応する前記第１の用紙情報に影響をしないように制御する制御手段とを有し、前記外部装置は、画像データを前記画像形成装置へ送信する機能を有することを特徴とする。
【手続補正２６】
【補正対象書類名】明細書
【補正対象項目名】００２６
【補正方法】変更
【補正の内容】
【００２６】
上記目的を達成するため、請求項２２記載の発明は、画像入力に基づき用紙上に画像形成を行う画像形成装置を制御するためのプログラムを格納するコンピュータ読み取り可能な記憶媒体であって、前記プログラムは、手差しで用紙を給紙するための手差し給紙工程と、第１の画像形成ジョブにおいて前記手差し給紙工程によって給紙される用紙の第１の用紙情報を指定する第１の用紙指定工程と、第２の画像形成ジョブにおいて前記手差し給紙工程によって給紙される用紙の第２の用紙情報を指定する第２の用紙指定工程と、該第２の用紙情報と該第１の用紙情報とは独立しており、前記第２の用紙指定工程が前記第２の用紙情報の指定を行う場合に、該第２の用紙情報の指定動作が、前記第１の画像形成ジョブに対応する前記第１の用紙情報に影響をしないように制御する制御工程とをコンピュータに実行させるためのプログラムコードからなることを特徴とする。
【手続補正２７】
【補正対象書類名】明細書
【補正対象項目名】００２７
【補正方法】削除
【補正の内容】
【手続補正２８】
【補正対象書類名】明細書
【補正対象項目名】００２８
【補正方法】削除
【補正の内容】
【手続補正２９】
【補正対象書類名】明細書
【補正対象項目名】００２９
【補正方法】削除
【補正の内容】
【手続補正３０】
【補正対象書類名】明細書
【補正対象項目名】００３０
【補正方法】削除
【補正の内容】
【手続補正３１】
【補正対象書類名】明細書
【補正対象項目名】００３１
【補正方法】削除
【補正の内容】
【手続補正３２】
【補正対象書類名】明細書
【補正対象項目名】００３２
【補正方法】削除
【補正の内容】
【手続補正３３】
【補正対象書類名】明細書
【補正対象項目名】００３３
【補正方法】削除
【補正の内容】
【手続補正３４】
【補正対象書類名】明細書
【補正対象項目名】００３４
【補正方法】削除
【補正の内容】
【手続補正３５】
【補正対象書類名】明細書
【補正対象項目名】００３５
【補正方法】削除
【補正の内容】
【手続補正３６】
【補正対象書類名】明細書
【補正対象項目名】００３６
【補正方法】削除
【補正の内容】
【手続補正３７】
【補正対象書類名】明細書
【補正対象項目名】００８５
【補正方法】変更
【補正の内容】
【００８５】
【発明の効果】
以上説明したように、請求項１〜１０記載の画像形成装置によれば、プリント中または既に予約されているジョブで使用する用紙が手差し給紙手段から給紙される場合や、先行のジョブが手差し給紙手段を使っている場合に、これから予約するジョブで手差し給紙手段にセットする用紙を指定しておくことが可能となり、これにより、複数ジョブで異なった手差しプリント処理を行うことができるため、効率よくプリントジョブを行う画像形成装置を提供できるという効果を奏する。
【手続補正３８】
【補正対象書類名】明細書
【補正対象項目名】００８６
【補正方法】変更
【補正の内容】
【００８６】
また、請求項１１〜２０記載の画像形成装置の制御方法によれば、画像形成装置の制御方法を画像形成装置で実行することで、上記と同様に、複数ジョブで異なった手差しプリント処理を行うことができるため、効率よくプリントジョブを行う画像形成装置を提供できるという効果を奏する。
【手続補正３９】
【補正対象書類名】明細書
【補正対象項目名】００８７
【補正方法】変更
【補正の内容】
【００８７】
また、請求項２１記載の画像形成システムによれば、画像形成システムをプリント処理機能を有する画像形成装置と外部装置から構成することで、上記と同様に、複数ジョブで異なった手差しプリント処理を行うことができるため、効率よくプリントジョブを行う画像形成装置を提供できるという効果を奏する。
【手続補正４０】
【補正対象書類名】明細書
【補正対象項目名】００８８
【補正方法】変更
【補正の内容】
【００８８】
また、請求項２２記載の記憶媒体によれば、記憶媒体からプログラムを読み出して画像形成装置で実行することで、上記と同様に、複数ジョブで異なった手差しプリント処理を行うことができるため、効率よくプリントジョブを行う画像形成装置を提供できるという効果を奏する。